(57)【要約】      （修正有）【課題】サイフォン力を利用して排水を促進するサイフォン排水システムに用いられる配管洗浄システム、及び、配管洗浄方法を提供する。【解決手段】第１接続部材６１及び第２接続部材６３を、サイフォン排水管２２Ａ、２２Ｂの各上流側端部及び下流側端部と接続させると、サイフォン排水管２２Ａ、２２Ｂ、第１接続部材６１、及び第２接続部材６３により、環状流路６８が構成される。循環用接続部６２Ａ、６２Ｂには、循環装置６６が接続され、循環装置６６により環状流路６８内の洗浄液が循環させられる。【選択図】図４
2008297819.tif 000002
【特許請求の範囲】
【請求項１】
サイフォン排水システムに用いられる配管洗浄システムであって、
複数の水回り器具と１の排水立て管との間に配置された複数の配管と、
前記複数の配管の１の配管と他の配管の前記水回り器具側の端部同士及び前記排水立て管側の端部同士を接続して、前記１の配管と他の配管とを互いに連通させて環状流路を構成する接続部材と、
前記環状流路と接続され、前記環状流路内で洗浄液を循環させる循環手段と、
を備えた配管洗浄システム。
【請求項２】
前記複数の水回り器具からの排水を一時貯留する貯留槽が設けられ、前記複数の配管はこの貯留槽と前記排水立て管との間に配置され上流側が前記貯留槽と接続されていること、を特徴とする請求項１に記載の配管洗浄システム。
【請求項３】
前記複数の配管にはサイフォン排水管が含まれていること、を特徴とする請求項１または請求項２に記載の配管洗浄システム。
【請求項４】
前記複数の配管には通気管が含まれていること、を特徴とする請求項２または請求項３に記載の配管洗浄システム。
【請求項５】
前記接続部材の各配管端部との接続部が、各配管端部との接続後に取り外し可能な接続構造とされていること、を特徴とする請求項１〜請求項４のいずれか１項に記載の配管洗浄システム。
【請求項６】
前記接続構造が、差し込み動作のみによって連結可能なワンタッチ接続構造または袋ナット継手構造とされていること、を特徴とする請求項１〜請求項５のいずれか１項に記載の配管洗浄システム。
【請求項７】
サイフォン排水システムに用いられる配管洗浄方法であって、
複数の水回り器具と１の排水立て管との間に配置された複数の配管の１の配管と他の配管の前記水回り器具側の端部同士及び前記排水立て管側の端部同士を接続して、前記１の配管と他の配管とを互いに連通させて環状流路を構成し、
前記環状流路内へ洗浄液を供給し、
供給された前記洗浄液を前記環状流路内で循環させて配管を洗浄する、配管洗浄方法。
【請求項８】
前記複数の配管の上流側には、前記複数の水回り器具からの排水を一時貯留すると共に前記配管へ排水を排出する貯留槽が設置されていること、を特徴とする請求項７に記載の配管洗浄方法。
【請求項９】
前記１の配管及び他の配管の少なくとも１本はサイフォン排水管であること、を特徴とする請求項７または請求項８に記載の配管洗浄方法。
【請求項１０】
前記１の配管はサイフォン排水管であり、他の配管は通気管であること、を特徴とする請求項７または請求項８に記載の配管洗浄方法。
【請求項１１】
洗浄中に前記循環流路内で前記洗浄液の循環方向を変化させること、を特徴とする請求項７〜１０のいずれか１項に記載の配管洗浄方法。
【発明の詳細な説明】
【技術分野】
【０００１】
本発明は、サイフォン力を利用して排水を促進するサイフォン排水システムに用いられる配管洗浄システム、及び、配管洗浄方法に関する。
【背景技術】
【０００２】
従来から、排水管の洗浄に関して、高圧で水を排水管へ送り込む高圧洗浄方法、ブラシなどを用いて機械的に洗浄する方法、などが知られている。高圧洗浄方法では、排水管内の圧力変動が大きく、トラップでの封水の噴出、破封が発生することから、特に集合住宅においては、複数の区画住居に洗浄の影響があり、単独住居での洗浄が困難ということがある。また、ブラシを用いた洗浄方法については、枝管部分や屈曲部分の洗浄が困難ということがある。
【０００３】
また、特許文献１には、洗浄液を循環させて配管系統の洗浄を行う洗浄方法が記載されている。このような洗浄液による洗浄方法は、前述の高圧洗浄方法のように水圧を高くする必要がなく、封水の逆流が発生しない。しかしながら、特許文献１に記載の方法では、ビル全体に及ぶ配管系統を洗浄することになり、特定の区画部分のみの洗浄をすることはできない。
【０００４】
ところで、近年、従来の勾配排水システムに代わって、サイフォン排水システムが提案されている。サイフォン排水システムは、特許文献２に記載されるように、水回り器具とサイフォン排水管を含んで構成されており、サイフォン排水管の垂下部をなす竪管にて発生するサイフォン力（負圧力）を利用して、水回り器具からの排水効率を向上させるシステムである。
【０００５】
このような、サイフォン排水システムにおいても、従来の勾配排水システムと同様に、排水管の洗浄が必要である。サイフォン排水システムは、従来の勾配排水システムと異なる構造、特徴を有しており、サイフォン排水システムに適した洗浄方法や洗浄システムが求められることになる。
【特許文献１】特開平１０−１５５１３号公報
【特許文献２】特開平６−４２０１９号公報
【発明の開示】
【発明が解決しようとする課題】
【０００６】
本発明は、上記事実に鑑みてなされたものであり、サイフォン排水システムにおいて、容易に配管の洗浄を行うことの可能な、配管洗浄システム、及び、配管洗浄方法を提供することを目的とする。
【課題を解決するための手段】
【０００７】
本発明の請求項１に記載の配管洗浄システムは、サイフォン排水システムに用いられる配管洗浄システムであって、複数の水回り器具と１の排水立て管との間に配置された複数の配管と、前記複数の配管の１の配管と他の配管の前記水回り器具側の端部同士及び前記排水立て管側の端部同士を接続して、前記１の配管と他の配管とを互いに連通させて環状流路を構成する接続部材と、前記環状流路と接続され、前記環状流路内で洗浄液を循環させる循環手段と、を備えている。
【０００８】
上記構成の配管洗浄システムでは、複数の水回り器具と１の排水立て管との間に配置された複数の配管の洗浄が行われる。ここでの配管には、竪管、横引き管など含むサイフォン排水管、通気用に設けられる通気管などが含まれる。
【０００９】
洗浄する際には、接続部材により、複数の配管の１の配管と他の配管の水回り器具側の端部同士及び排水立て管側の端部同士を各々接続する。これにより、１の配管と他の配管とが互いに連通して環状流路が構成される。この環状流路へ洗浄液を供給して、循環手段により環状流路内で洗浄液を循環させる。ここでの循環手段には、ポンプ、曝気装置などを用いることができる。
【００１０】
上記構成によれば、最低で２本の配管を用いて環状流路を構成することができるので、容易に配管を洗浄することができる。
【００１１】
このように、環状流路内で洗浄液を循環させることにより、配管を容易に洗浄することができる。
【００１２】
本発明の請求項２に記載の配管洗浄システムは、前記複数の水回り器具からの排水を一時貯留する貯留槽が設けられ、前記複数の配管はこの貯留槽と前記排水立て管との間に配置され上流側が前記貯留槽と接続されていること、を特徴とする。
【００１３】
上記構成によれば、貯留槽に接続された複数の配管の端部を、貯留槽から取り外して接続部材と接続させることにより、容易に１の配管と他の配管との接続を行うことができる。
【００１４】
本発明の請求項３に記載の配管洗浄システムは、前記複数の配管にはサイフォン排水管が含まれていること、を特徴とする。
【００１５】
また、本発明の請求項４に記載の配管洗浄システムは、前記複数の配管には通気管が含まれていること、を特徴とする。
【００１６】
本発明の請求項５に記載の配管洗浄システムは、前記接続部材の各配管端部との接続部が、各配管端部との接続後に取り外し可能な接続構造とされていること、を特徴とする。      
【００１７】
また、本発明の請求項６に記載の配管洗浄システムは、前記接続構造が、差し込み動作のみによって連結可能なワンタッチ接続構造または袋ナット継手構造とされていること、を特徴とする。
【００１８】
ここで、差し込み動作のみによって連結可能なワンタッチ接続構造とは、いわゆるワンタッチ方式の接続構造であり、例えば特開平５−２５６３９０号公報に記載されているような管継手を用いることができる。このような接続構造とすることにより、容易に洗浄用の環状流路を構成することができる。
【００１９】
本発明の請求項７に記載の配管洗浄方法は、サイフォン排水システムに用いられる配管洗浄方法であって、複数の水回り器具と１の排水立て管との間に配置された複数の配管の１の配管と他の配管の前記水回り器具側の端部同士及び前記排水立て管側の端部同士を接続して、前記１の配管と他の配管とを互いに連通させて環状流路を構成し、前記環状流路内へ洗浄液を供給し、供給された前記洗浄液を前記環状流路内で循環させて配管を洗浄するものである。
【００２０】
上記の配管洗浄方法では、複数の配管の１の配管と他の配管の端部同士を接続して、１の配管と他の配管とを互いに連通させて環状流路を構成する。そして、構成された環状流路内へ洗浄液を供給し、供給された洗浄液を環状流路内で循環させて配管を洗浄する。
【００２１】
上記配管洗浄方法によれば、最低で２本の配管を用いて環状流路を構成して、容易に配管を洗浄することができる。
【００２２】
本発明の請求項８に記載の配管洗浄方法は、前記複数の配管の上流側には、前記複数の水回り器具からの排水を一時貯留すると共に前記配管へ排水を排出する貯留槽が設置されていること、を特徴とする。
【００２３】
このように、貯留槽が設置されたサイフォン排水システムでは、複数の配管が貯留槽に接続されているので、これらの配管の端部を貯留槽から取り外して容易に接続させることができる。
【００２４】
本発明の請求項９に記載の配管洗浄方法は、前記１の配管及び他の配管の少なくとも１本はサイフォン排水管であること、を特徴とする。
【００２５】
また、本発明の請求項１０に記載の配管洗浄方法は、前記１の配管はサイフォン排水管であり、他の配管は通気管であること、を特徴とする。
【００２６】
本発明の請求項１１に記載の配管洗浄方法は、洗浄中に前記循環流路内で前記洗浄液の循環方向を変化させること、を特徴とする。
【００２７】
このように、洗浄中に循環流路内で洗浄液の循環方向を変化させることにより、洗浄液が循環流路内で攪拌され、配管の内壁をより効果的に洗浄することができる。
【発明の効果】
【００２８】
本発明は上記のように環状流路を構成して、容易に配管の洗浄を行うことができる。
【発明を実施するための最良の形態】
【００２９】
以下に、本発明に係る実施形態を図面に基づき説明する。図１には、本実施形態に係るサイフォン排水システムの全体構成が概略図にて示されている。
【００３０】
本実施形態に係るサイフォン排水システム１０は、サイフォン力を利用して水回り器具からの排水を効率よく排出する排水システムである。
【００３１】
本実施形態では、サイフォン排水システムを、複数階で構成された集合住宅に用いた例について説明する。なお、サイフォン排水システムは、集合住宅に好適に用いられるが、集合住宅以外の戸建て住宅や工場等にも用いることができる。
【００３２】
図１に示すように、サイフォン排水システム１０は、排水を下方へ流す排水立て管１２を備えている。この排水立て管１２は、集合住宅の上下方向（縦方向）に延設され、集合住宅の各階の床スラブ１４を貫いている。
【００３３】
集合住宅の各階の各戸には、複数の水回り器具１６が設けられており、この水回り器具１６には、水回り器具１６から排出される排水を流す排水導入管１８の一端がそれぞれ接続されている。排水導入管１８の他端は、貯留槽５０と接続されている。排水導入管１８は、貯留槽５０側が低くなるように勾配をもって配設されている。
【００３４】
貯留槽５０は、水廻り器具１６からの排水を一時貯留するためのものである。貯留槽５０の内部には、図２に示すように、貯留空間５２が構成されている。貯留空間５２は、仕切部材５４によって３つの個別貯留部５２Ａ、５２Ｂ、５２Ｃに区画されている。前述した水廻り器具１６からの複数の排水導入管１８Ａ〜１８Ｃは、個別貯留部５２Ａ、５２Ｂ、５２Ｃ、へ各々連結されている。
【００３５】
貯留槽５０の個別貯留部５２Ａ、５２Ｂ、５２Ｃには、接続部５１Ａ、５１Ｂ、５１Ｃが設けられ、各々にサイフォン排水管２２Ａ、２２Ｂ、２２Ｃ（これらをまとめて「サイフォン排水管２２」という。サイフォン排水管２２は、接続端２４Ｅで接続部５１Ａ、５１Ｂ、５１Ｃと接続されている。接続端２４Ｅと接続部５１Ａ、５１Ｂ、５１Ｃとは、取り外し可能とされている。
【００３６】
サイフォン排水管２２は、図１に示すように、床スラブ１４に沿って配設される横引き管２４と、この横引き管２４と連通する竪管２６とを備えて構成されている。横引き管２４の上流側は、貯留槽５０と接続され、床スラブ１４上で水平方向に無勾配で配設されている。横引き管２４と連通する竪管２６は、排水立て管１２に沿って、上下方向（鉛直方向）に配設されている。
【００３７】
竪管２６は、図３に示すように、合流部継手４０を介して排水立て管１２と連結されている。竪管２６は、接続端２６Ｅで合流部継手４０と取り外し可能に接続されている。合流部継手４０は、竪管２６からの排水を排水立て管１２へ合流させる。
【００３８】
横引き管２４及び竪管２６は、合流部継手４０までは他の排水管と途中で合流することなく、連続した排水管で構成され、排水立て管１２へ排水を導くようになっている。また、横引き管２４及び竪管２６は、排水が満流で流れるように管の内径が設定されている。横引き管２４内の排水には、サイフォン水頭Ｈｓのエネルギーにより、排水方向へ向かうサイフォン力が作用される。
【００３９】
図１に示すように、貯留槽５０には、さらに、通気管３０が接続されている。通気管３０は、合流部継手４０を介して排水立て管１２と連結されている。
【００４０】
図４（Ｂ）には、サイフォン排水管２２を洗浄するための配管洗浄システム６０の概略構成が示されている。配管洗浄システム６０は、サイフォン排水管２２、第１接続部材６１、第２接続部材６３、及び、循環装置６６を備えている。
【００４１】
第１接続部材６１は、一端及び他端が、サイフォン排水管２２（横引き管２４）の接続端２４Ｅと接続可能な上流側接続端６１Ａとされ、２つの上流側接続端６１Ａ間に上流側接続管部６２を有している。上流側接続端６１Ａは、着脱可能ないわゆるワンタッチ（ワンプッシュ）式の接続構造とされている。ワンタッチ（ワンプッシュ）式の接続構造とは、差し込み動作のみで接続端２４Ｅと係合により接続される構造を有するものである。取り外しの際には、専用治具を用いたり分解したりすることにより、係合を解除して取り外すことができる。上流側接続管部６２には、循環装置６６を接続するための循環用接続部６２Ａ、６２Ｂが構成されている。なお、本実施形態では、上流側接続端６１Ａをワンタッチ式の接続構造を有するものとしたが、袋ナット継手構造のものを用いることもできる。
【００４２】
また、第２接続部材６３は、一端及び他端が、サイフォン排水管２２（竪管２６）の接続端２６Ｅと接続可能な下流側接続端６３Ａとされ、２つの下流側接続端６３Ａ間に下流側接続管部６４を有している。下流側接続端６３Ａは、着脱可能ないわゆるワンタッチ（ワンプッシュ）式の接続構造とされている。
【００４３】
第１接続部材６１及び第２接続部材６３を、複数のサイフォン排水管２２のうちの、例えば、サイフォン排水管２２Ａ、２２Ｂの各上流側端部及び下流側端部と接続させると、サイフォン排水管２２Ａ、２２Ｂ、第１接続部材６１、及び第２接続部材６３により、環状流路６８が構成される。
【００４４】
循環用接続部６２Ａ、６２Ｂには、循環装置６６が接続されている。循環装置６６は、送液を行うためのポンプを備えており、環状流路６８内で洗浄液を循環させることができる。
【００４５】
次に、上記サイフォン排水システム１０のサイフォン排水管２２の洗浄について説明する。
【００４６】
サイフォン排水管２２を洗浄する際には、まず、図４（Ａ）に示すように、サイフォン排水管２２Ａ、２２Ｂの接続端２４Ｅ及び接続端２６Ｅを、貯留槽５０、合流部継手４０から各々取り外す。そしてサイフォン排水管２２Ａ、２２Ｂの接続端２４Ｅを第１接続部材６１の上流側接続端６１Ａと接続すると共に、接続端２６Ｅを第２接続部材６３の下流側接続端６３Ａと接続し、環状流路６８を構成する（図４（Ｂ）参照）。
【００４７】
次に、環状流路６８へ、洗浄液を供給する。洗浄液の供給は、循環用接続部６２Ａを循環装置６６に接続すると共に、循環用接続部６２Ｂを洗浄液供給用の管に接続し、循環装置６６を作動させることにより行うことができる。洗浄液を供給した後、循環用接続部６２Ｂを循環装置６６に接続し、循環装置６６を作動させて、環状流路６８内で洗浄液を循環させる。これにより、サイフォン排水管２２Ａ、２２Ｂの内壁を洗浄することができる。所定時間経過後、循環装置６６での送液方向を逆方向に変えて洗浄液を逆方向に循環させる。これにより、環状流路６８内で洗浄液が攪拌され、サイフォン排水管２２Ａ、２２Ｂの内壁をより効果的に洗浄することができる。
【００４８】
洗浄液の循環方向の変更を繰り返して洗浄が終了した後、洗浄液を回収する。洗浄液の回収は、循環用接続部６２Ａを洗浄液回収用の管に接続し、循環装置６６を作動させることにより行うことができる。
【００４９】
サイフォン排水管２２Ｃの洗浄については、洗浄済みのサイフォン排水管２２Ａまたは２２Ｂのいずれかと接続させて洗浄を行うこともできるし、通気管３０と接続して、洗浄を行うこともできる。通気管３０を用いる場合にも、前述と同様にして、第１接続部材６１の上流側接続端６１Ａ及び第２接続部材６３の下流側接続端６３Ａを、通気管３０の両端に各々接続すればよい。
【００５０】
本実施形態によれば、集合住宅であっても、他の住戸の配管に影響を及ぼすことなく簡易にサイフォン排水管２２の洗浄を行うことができる。また、サイフォン排水管２２の両端を第１接続部材６１及び第２接続部材６３を用いて接続するだけで、仮設で特別な洗浄用配管を用いることなく、簡単に環状流路６８を構成することができる。また、環状流路６８内を満たすだけの洗浄液の量であれば、比較的少量の洗浄液で足りる。
【００５１】
このように環状流路６８が構成できるのは、サイフォン排水システム１０において、サイフォン排水管２２が、合流部継手４０まで他の排水管と途中で合流することなく、連続した排水管で構成されているためである。在来の勾配排水システムでは、排水管は排水立て管に合流するまでの途中で他の排水管と合流されており、環状の流路を構成することは困難である。
【００５２】
また、本実施形態によれば、１つの水回り器具に１本のサイフォン排水管２２が対応する構成とされているので、水回り器具１６からの排水の種類（例えば、台所排水であれば油が多く含まれているなど）に応じて、適切な洗浄液を選択することができ、より効率的に洗浄を行うことができる。
【００５３】
なお、本実施形態では、貯留槽５０の設置されたサイフォン排水システムに、本発明を適用した例について説明したが、貯留槽５０を有さず、水回り器具１６に直接サイフォン排水管２２が接続されたサイフォン排水システムにも、本発明を適用することができる。特に、貯留槽５０を備える場合には、複数のサイフォン排水管２２の上流側端部も隣接した位置に配置されることから、第１接続部材６１での接続を容易に行うことができる。
【００５４】
また、本実施形態では、横引き管２４及び竪管２６を含むサイフォン排水管２２全体で環状流路６８を構成したが、サイフォン排水管２２の一部、例えば、横引き管２４のみ、竪管２６のみで、環状流路を構成してもよい。例えば、横引き管２４のみの洗浄を行う場合には、図６（Ａ）に示す横引き管２４の竪管２６側の端部を取り外し、図６（Ｂ）に示すように、第２接続部材６３と接続させて環状流路６９を構成すればよい。
【００５５】
また、本実施形態では、サイフォン排水管、通気管の洗浄について説明したが、従来排水システムとは異なる、圧送排水（強制排水）システム、真空排水（バキューム排水）システムに代表される、無勾配排水、小径排水等の他の排水システムにおける配管の洗浄の際にも、同様の接続部材で複数の配管を接続して環状流路を構成し、洗浄液を循環させることにより配管の洗浄を行うこともできる。
【図面の簡単な説明】
【００５６】
【図１】本実施形態に係るサイフォン排水システムの全体構成を示す概略図である。
【図２】本実施形態に係る貯留槽の内部、及びサイフォン排水管との接続部を示す斜視図である。
【図３】本実施形態に係るサイフォン排水管の合流部継手との接続部分を示す斜視図である。
【図４】本実施形態に係る配管洗浄システムの概略を示す図である。
【図５】本実施形態に係るサイフォン排水システムの変形例の全体構成を示す概略図である。
【図６】本実施形態に係る配管洗浄システムの変形例の概略を示す図である。
【符号の説明】
【００５７】
１０   サイフォン排水システム
１２   排水立て管
１６   水回り器具
２２   サイフォン排水管
２４   横引き管
２４Ｅ 接続端
２６   竪管
２６Ｅ 接続端
３０   通気管
４０   合流部継手
５０   貯留槽
５２   貯留空間
５２Ａ 個別貯留部
６０   配管洗浄システム
６１   第１接続部材
６１Ａ 上流側接続端
６２   上流側接続管部
６２Ａ 循環用接続部
６２Ｂ 循環用接続部
６３   第２接続部材
６３Ａ 下流側接続端
６４   下流側接続管部
６６   環状流路
６６   循環装置
６８   環状流路
６９   環状流路
【図１】
2008297819.tif 000003
【図２】
2008297819.tif 000004
【図３】
2008297819.tif 000005
【図４】
2008297819.tif 000006
【図５】
2008297819.tif 000007
【図６】
2008297819.tif 000008